(57)【要約】【課題】組み立てや分解が容易で使用に便利なコンピュータ用のディスクドライブパッケージの構造を提供する。【解決手段】メイン外殻２の主な構造を出し入れに便利なスライド可能なカートリッジ３とし、該カートリッジ３にコンピュータディスクドライブパッケージのメインボードとパワーサプライ、光ディスクドライブ、放熱ファン等の主要パーツを搭載する。コンピュータの各種ディスクドライブの増設や仕様変更などに有用である。【選択図】        図２
0003114253.tif 000002
【実用新案登録請求の範囲】
【請求項１】
メイン外殻、カートリッジ、キャリヤ、上蓋から構成されるコンピュータディスクドライブ外殻の構造において、
該カートリッジ上に、光ディスクドライブとハードディスクドライブを搭載した該キャリヤを固定し、更に該カートリッジ上にはパワーサプライを設けると共にメインボードを固定してなり、
該カートリッジは、該キャリヤと共に該メイン外殻後方より該メイン外殻内にスライドインして固定し、上蓋を固定する構造としたことを特徴とするコンピュータディスクドライブパッケージの構造。
【請求項２】
該メイン外殻前方には正面板が設けられ、該正面板上には光ディスクドライブ引き出し孔、操作ボタン延伸孔、指示ランプ孔等が設けられ、また該メイン外殻底板上両側は側板が設けられ、該側板上にはそれぞれ放熱孔が設けられ、該メイン外殻上方及び後方は開放されたスペースとし、且つ該正面板内上側には該上蓋を固定するボルトホールが設けられ、
更に該メイン外殻には光ディスクドライブを設置しない場合の該光ディスクドライブ引き出し孔をカバーするカバー板が設けられ、
該メイン外殻両側の側板上にそれぞれ延伸片を設けることにより、該メイン外殻が後方にスライドする構造を提供することを特徴とする請求項１記載のコンピュータディスクドライブパッケージの構造。
【請求項３】
該カートリッジは該メイン外殻後方より該メイン外殻内にスライドして定位されるが、該カートリッジの四周は前板、後板、二つの側板より構成され、底部は更に底板が設けられ、
該前板においては操作ボタン延伸孔、指示ランプ等が設けられ、該後板上にはインプットとアウトプット連結の端子孔がそれぞれ設けられ、また該側板上には同様に放熱孔及びボルトホールを設け、該カートリッジの底板上には該メイン外殻の底板上のボルトホールに対応したボルトホールが設けられ、且つ複数のスクリュープラグが設けられ、
また一方の該側板に近い個所には放熱ファンホルダが設けられ、該カートリッジ底板上の適当な位置には穿孔が設けられ、該カートリッジの側板内の上方にはボルトホールが設けられていることを特徴とする請求項１記載のコンピュータディスクドライブパッケージの構造。
【請求項４】
該キャリヤとは該カートリッジ上方に固定されるものであり、且つ該キャリヤ上の片側には光ディスクが固定され、もう一方にはハードディスクドライブが固定され、且つ各角にはボルトホールが設けられることを特徴とする請求項１記載のコンピュータディスクドライブパッケージの構造。
【請求項５】
該上蓋上にはボルトホールが設けられ、該カートリッジ内に主要パーツが組み立てられて該メイン外殻内に固定後、ボルトで該メイン外殻上に該上蓋が螺合及び固定するようにしてなることを特徴とする請求項１記載のコンピュータディスクドライブパッケージの構造。
【考案の詳細な説明】
【技術分野】
【０００１】
本考案は、コンピュータ用のディスクドライブパッケージの構造に係り、特にディスクドライブパッケージのメインボードとパワーサプライ、光ディスクドライブ、放熱ファン等の主要なパーツを引き出しタイプのカートリッジに搭載することで、組み立てやメンテナンス、拡張等が便利なコンピュータディスクドライブパッケージの構造に関わる。
【背景技術】
【０００２】
複雑な演算機能や大量なデータ伝送が行えるコンピュータの普及により、人々の暮らしが便利になっている昨今、こういった電子製品の小型化が更に進んでおり、工業用、またパーソナルコンピュータにおいても、各メーカーが更なる小型化及び軽量化に挑んでいる。
そこで開発されたのがディスクドライブ類をパッケージ化したものであり、本体内のスペースを充分に利用したことで体積が小さく、その他の特徴としては、メインボードの両面にスロットが設けられており、使用者の必要に応じ、ネットワークカードやメモリカードを始めとする各種カードが挿入できる便利な構造を具有する。
【特許文献１】実用新案登録第３０７４６２７号公報
【考案の開示】
【考案が解決しようとする課題】
【０００３】
しかし上述のコンピュータ用のディスクドライブパッケージにおける欠点として、使用が便利である反面、光ディスクドライブ、ハードディスクドライブ、並びに放熱ファン等を交換したりメンテナンスを頻繁に行う必要性が高いが、従来より一般の使用者がパソコンのメインボードの外殻を自ら組み立てたり分解するのは容易でないため、使いこなせないといった状況が出てくる。
そこで組み立てや分解が容易で使用に便利な本考案のコンピュータディスクドライブパッケージの構造を提供する。
【課題を解決するための手段】
【０００４】
外殻の主な構造を出し入れに便利なカートリッジとし、該カートリッジにディスクドライブパッケージのメインボードとパワーサプライ、光ディスクドライブ、放熱ファン等の主要パーツを搭載する。
【考案の効果】
【０００５】
本考案によると、外殻を拡張やメンテナンス等に便利なカートリッジタイプとしたことで、ディスクドライブパッケージの使用を更に便利にする目的が達成された。
【考案を実施するための最良の形態】
【０００６】
図１，２に示すように、本考案は、メイン外殻２とカートリッジ３、キャリヤ４及び上蓋５を含む。
該メイン外殻２前方には正面板２１を設け、該正面板２１上には光ディスクドライブ延伸孔２１１、及び操作ボタン延伸孔２１２、指示ランプ２１３等を設け、該メイン外殻２底板２２上には放熱孔２２１及びボルトホール２２２を設ける。
該メイン外殻２両側には側板２３，２４を設け、該側板２３，２４上にはそれぞれ放熱孔２３１，２４１を設け、該メイン外殻２上方及び後方は開放されたスペースとする。
該メイン外殻２の正面板２１上には光ディスクドライブ引き出し孔２１１が設けられるが、これにはカバー板２１４が設けられ、光ディスクドライブ（図中無し）が設置されないときに該光ディスクドライブ引き出し２１１をカバーするものとし、且つ該正面板２１内上部にはボルトホール２１５が設けられる。該メイン外殻２両側の側板２３，２４上にはそれぞれ内側に向かって突出する延伸片２３２，２４２が設けられ、該メイン外殻２が後方にスライドする構造を形成する。
該メイン外殻２後方から該メイン外殻２内にスライドインして定位される該カートリッジ３は、盆状を呈し、且つ引き出しの役割を果たすものであり、四周にはそれぞれ前板３１、後板３２、側板３３，３４が設けられ、底部には底板３５が設けられる。
該カートリッジ３の前板３１上には操作ボタン延伸孔３１１、指示ランプ３１２等が設けられ、該カートリッジ３の後板３２上にはインプット、アウトプット連結用の端子孔３２１、３２２が設けられ、また該カートリッジ３の側板３３，３４上には同様にして放熱孔３３１，３４１、並びにボルトホール３３２，３４２が設けられる。
【０００７】
該カートリッジ３の底板３５上には該メインボード２底板２２上のボルトホール２２２と対応するボルトホール３５１が設けられ、且つ数個のスクリュープラグ３５２が設けられ、また一方の該側板３３に接近した個所には放熱ファンホルダ３５３が設けられ、該底板３５上の適当な位置には穿孔３５４が設けられる。更に該カートリッジ３の側板３３，３４内側上方にはボルトホール３３２，３４２が設けられる他、該カートリッジ３上方にはキャリヤ４が固定され、該キャリヤ４上の片側には光ディスクを固定し、もう片側にはハードディスクドライブを固定し、各角にはボルトホール４１を設ける。
更に上蓋５であるが、同様にしてボルトホール５１を具有し、該カートリッジ３内に各パーツを組み立てて該メイン外殻２内に固定したら、ボルトにより該上蓋５を該外殻上方に固定する。
【０００８】
図２，３に示すように、本考案実施時にはカートリッジ３底部片側に電源供給器（図中無し）を設け、もう一方にはスクリュープラグ３５２によって、メインボード（図中無し）の位置を高くすることができるようにする。該メインボードに拡張パーツを組み立てる際は、直接上方より該メインボード上のコネクタに挿入する、或いはカートリッジ３底板３５に開設した穿孔３５４より上から下へとメインボード下のコネクタに挿入するものとし、また放熱ファンは放熱ファンホルダ３５３上に固定する。
該キャリヤ４上の片側には光ディスクドライブ（図中無し）を固定するとき、もう片側にはハードディスクドライブ（図中無し）を設け、ボルトを該キャリヤ４の各角に設けられたボルトホール４１、該カートリッジ３側板３３，３４のボルトホール３３２，３４２に螺合及し、該キャリヤ４を該カートリッジ３上方にて固定する。
【０００９】
図３に示すように、該カートリッジ３とキャリヤ４上に全ての部品を組み立てた後、該カートリッジ３全体（該キャリヤ４を含む）が該メイン外殻２後方の開口側よりスライドインして定位され、該メイン外殻２の底板２２の後方に設けられたボルトホール２２２にボルトを螺合し、更に該ボルトを該カートリッジ３のボルトホール３５１に螺合し、該カートリッジ３を固定する。
また図４に示すように、該上蓋５はボルトをボルトホール５１及びメイン外殻２の正面板２１のボルトホール２１５に螺合して該上板５を固定し、こうすることで速やかに組み立てが完成する。また拡張や交換、メンテナンスの際には、上述と逆の手順により分解を行なう。
【図面の簡単な説明】
【００１０】
【図１】本考案における立体図である。
【図２】本考案における主要構造の分解図である。
【図３】本考案において、カートリッジにキャリヤが連動してメイン外殻にスライドインする様子を示す立体分解図である。
【図４】本考案において上蓋を開けた様子を示す立体分解図である。
【符号の説明】
【００１１】
２  メイン外殻
２１  正面板
２１１  光ディスクドライブ延伸孔
２１２  操作ボタン延伸孔
２１３  指示ランプ
２１４  カバー板
２１５  ボルトホール
２２  底板
２２１  放熱孔
２２２  ボルトホール
２３，２４  側板
２３１，２４１  放熱孔
２３２，２４２  延伸片
３  カートリッジ
３１  前板
３１１  操作ボタン延伸孔
３１２  指示ランプ
３２  後板
３２１，３２２  端子孔
３３，３４  側板
３３１，３４１  放熱孔
３３２，３４２  ボルトホール
３５  底板
３５１  ボルトホール
３５２  スクリュープラグ
３５３  放熱ファンホルダ
３５４  穿孔
４  キャリヤ
４１  ボルトホール
５  上蓋
５１  ボルトホール
【図１】
0003114253.tif 000003
【図２】
0003114253.tif 000004
【図３】
0003114253.tif 000005
【図４】
0003114253.tif 000006